(57)【要約】【課題】スモールオーバラップ衝突時に衝撃荷重を伝達するガセットを、フルラップ衝突の際は機能させないで、良好な衝撃吸収性能を得ることができるようにする。【解決手段】フロントサイドフレーム３とバンパビーム２との間に介装したクラッシュボックス４の車幅方向内側に変形容易部８を形成し、又フロントサイドフレーム３の車幅方向外側に車幅方向外側へ拡開した状態で前方へ延在するガセット本体９ａを固設し、その前端面９ｄをバンパビーム２の端部に設けたオフセット部２ｂに対峙させる。フルラップ衝突時、バンパビーム２が後退すると、中央部２ａが後方へ凹湾曲しようとするためクラッシュボックス４が車幅方向内側へ引かれて変形容易部８を起点として屈曲される。するとオフセット部２ｂの端部が車体前方へ開くように変形し、その背面２ｃがガセット本体９ａの前端面内側縁部９ｅを押圧して、車幅方向外側に傾斜させる。【選択図】図３
2015189407.tif 000002
【特許請求の範囲】
【請求項１】
車体の幅方向両側に設けられると共に該車体の前後方向へ延在するフロントサイドフレームと、
前記フロントサイドフレームの前部に設けられた軸圧潰部と、
前記軸圧潰部の前端面に連結されて車幅方向へ延在するバンパビームと、
後部に形成した固定部を前記フロントサイドフレームの車幅方向外側に固定し、該固定部から前方へ延在する本体部を車幅方向外側に拡開させて、該本体部の前端面を前記バンパビームの背面に対峙させるガセットと
を有する車体前部構造において、
前記本体部の前記前端面と前記バンパビームの背面との間に空隙部が設けられ、
前記軸圧潰部と前記フロントサイドフレームとの一方に、フルラップ衝突或いはオフセット衝突の際の衝撃荷重を受けて車幅方向内側へ屈曲する変形容易部が設けられている
ことを特徴とする車体前部構造。
【請求項２】
前記本体部の前記前端面がバンパビームの両端に対して前記空隙部を介して平行に対峙されている
ことを特徴とする請求項１記載の車体前部構造。
【請求項３】
前記変形容易部は、前記軸圧潰部の車幅方向内側に設けられている
ことを特徴とする請求項１或いは２記載の車体前部構造。
【請求項４】
前記変形容易部は、前記軸圧潰部を車幅方向内側へ傾斜させた状態で前方へ延在させることで機能させている
ことを特徴とする請求項１或いは２記載の車体前部構造。
【請求項５】
前記変形容易部は、前記フロントサイドフレームの車幅方向外側であって前記ガセットの前記固定部後方に設けられている
ことを特徴とする請求項１或いは２記載の車体前部構造。
【発明の詳細な説明】
【技術分野】
【０００１】
本発明は、スモールオーバラップ衝突とフルラップ衝突或いはオフセット衝突との双方における衝撃荷重の吸収性能を保証することのできる車体前部構造に関する。
【背景技術】
【０００２】
近年、自動車を代表とする車両の衝突安全性の向上に関する技術開発が進められている。例えば、オフセット衝突では、従来のオフセット衝突よりもラップ量の少ないスモールオーバラップ衝突（微小ラップ衝突）に対する衝突安全性への関心も高い。
【０００３】
スモールオーバラップ衝突は、左右一対のフロントサイドフレームよりも車幅方向外側におけるオフセット衝突であり、この対策としては、フロントサイドフレームの車幅方向外側にガセットを固設し、このガセットを介して衝撃荷重をフロントサイドフレームに伝達させ、このフロントサイドフレームを曲げ変形させるなどして衝撃を吸収するようにした技術が多く採用されている。
【０００４】
例えば、特許文献１（特開２０１３−２０３３２０号公報）には、フロントサイドフレーム前部の車幅方向外側にガセットを設けると共に、このガセットの後方のフロントサイドフレームの車幅方向外側にビードにより脆弱部を形成し、更に、ガセットの先端とバンパビームとの間に間隙を形成した技術が開示されている。
【０００５】
この文献に開示されている技術によれば、スモールオーバラップ衝突時の衝撃荷重が、フロントサイドフレームの先端に直接連結され、或いはフロントサイドフレームの先端にクラッシュボックスを介して連結されているバンパビームに入力されると、フロントサイドフレームの先端、或いはクラッシュボックスが圧潰され、バンパビームの背面が後退してガセットに押し当てられる。すると、このガセットを介して衝撃荷重がフロントサイドフレームに伝達され、このフロントサイドフレームを、脆弱部を起点に車幅方向内側へ屈曲させてエンジン等のパワーユニットに衝突させることで衝撃を吸収するようにしている。
【先行技術文献】
【特許文献】
【０００６】
【特許文献１】特開２０１３−２０３３２０号公報
【発明の概要】
【発明が解決しようとする課題】
【０００７】
ところで、上述した文献に開示されているように、ガセットの前端部を、ステーを介してフロントサイドフレームに固定すれば、スモールオーバラップ衝突時の衝撃荷重をガセットの前端面にて受け止め、この衝撃荷重をフロントサイドフレーム方向へ確実に伝達させることができる。
【０００８】
しかし、ガセットの前端部をフロントサイドフレームに対し、ステーを介して固定すると、フルラップ衝突（全突）やスモールラップ衝突よりもラップ量の大きいオフセット衝突の際に、その衝撃荷重を受けてフロントサイドフレームの前端部が後方へ変形すると、その変形によりステーを介してガセットが車幅方向内側へ呼び込まれてしまい、衝撃荷重の吸収特性を阻害する因子として機能してしまう可能性がある。このことは、ガセットの先端面をバンパビームに連結させた場合も同様に発生する。
【０００９】
本発明は、上記事情に鑑み、スモールオーバラップ衝突の際にはガセットを介して衝撃荷重をフロントサイドフレームへ良好に伝達することができ、又、フルラップ衝突或いはオフセット衝突の際にはガセットが衝撃吸収を阻害する因子として機能させることなく、良好な衝撃吸収性能を保証することのできる車体前部構造を提供することを目的とする。
【課題を解決するための手段】
【００１０】
本発明は、車体の幅方向両側に設けられると共に該車体の前後方向へ延在するフロントサイドフレームと、前記フロントサイドフレームの前部に設けられた軸圧潰部と、前記軸圧潰部の前端面に連結されて車幅方向へ延在するバンパビームと、後部に形成した固定部を前記フロントサイドフレームの車幅方向外側に固定し、該固定部から前方へ延在する本体部を車幅方向外側に拡開させて、該本体部の前端面を前記バンパビームの背面に対峙させるガセットとを有する車体前部構造において、前記本体部の前記前端面と前記バンパビームの背面との間に空隙部が設けられ、前記軸圧潰部と前記フロントサイドフレームとの一方に、フルラップ衝突或いはオフセット衝突の際の衝撃荷重を受けて車幅方向内側へ屈曲する変形容易部が設けられている。
【発明の効果】
【００１１】
本発明によれば、ガセットの本体部の前端面とバンパビームの背面との間に空隙部を設け、又、フロントサイドフレームの前部に設けた軸圧潰部とフロントサイドフレームとの一方に、フルラップ衝突或いはオフセット衝突の際の衝撃荷重を受けて車幅方向内側へ屈曲する変形容易部を設けたので、スモールオーバラップ衝突の際にはガセットを介して衝撃荷重をフロントサイドフレームへ良好に伝達することができ、一方、フルラップ衝突或いはオフセット衝突の際にはバンパビームがクラッシュボックスを軸圧潰して後退する際に、軸圧潰部とフロントサイドフレームとの一方に設けた変形容易部が車幅方向内側へ屈曲変形して、ガセットの本体部を衝撃荷重の伝達経路から外れるようにしたので、ガセットが衝撃吸収を阻害する因子として機能せず、良好な衝撃吸収性能を保証することができる。
【図面の簡単な説明】
【００１２】
【図１】第１実施形態による車体前部のバンパ構造を示す要部拡大図
【図２】同、スモールオーバラップ衝突時の車体前部の挙動を示す概略平面図
【図３】同、フルラップ衝突直後の車体前部の挙動を示す概略平面図
【図４】同、フルラップ衝突時の車体前部の挙動を示す概略平面図
【図５】第２実施形態による車体前部のバンパ構造を示す要部拡大図
【図６】同、フルラップ衝突直後の車体前部の挙動を示す概略平面図
【図７】第３実施形態によるフルラップ衝突時の車体前部の挙動を示す概略平面図
【発明を実施するための形態】
【００１３】
以下、図面に基づいて本発明の一実施形態を説明する。
【００１４】
［第１実施形態］
図１〜図４に本発明の第１実施形態を示す。図１の符号１は車体前部に設けられているバンパユニットであり、このバンパユニット１は車幅方向左右に延在するバンパビーム２と、車幅方向左右に対向配設されて車体後方へ延在する一対のフロントサイドフレーム３と、バンパビーム２の背面とフロントサイドフレーム３との間に介装されている左右一対の軸圧潰部としてのクラッシュボックス４とを有している。
【００１５】
又、このバンパビーム２の後方であって、両フロントサイドフレーム３の間にエンジンルーム５が形成されており、このエンジンルーム５にエンジン６及び、このエンジン６の出力軸に連設するトランスミッション７等のパワーユニットが搭載されている（図２参照）。
【００１６】
尚、車種によっては、クラッシュボックス４を省略し、フロントサイドフレーム３の前端部をバンパビーム２の背面に固設すると共に、この前部をクラッシュボックスとして機能させるものもあるが、この場合は、フロントサイドフレーム３の前部が軸圧潰部となるため、本実施形態のクラッシュボックス４をフロントサイドフレーム３の前部４と読み換えて適用することができる。
【００１７】
バンパビーム２は、例えば矩形形の閉断面、或いは前部を開口するハット形断面を有する金属材で形成されており、車幅方向中央が前方へやや突出された状態で湾曲されている中央部２ａと、この中央部２ａの両側で車体前部のコーナー部に沿って後方へ所定角度で屈曲されたオフセット部２ｂとを有し、このオフセット部２ｂの中央部２ａ側の背面に、上述したクラッシュボックス４の先端が固設されている。
【００１８】
このクラッシュボックス４は筒状に形成され、衝突の際、バンパビーム２を介して入力される衝撃荷重によって軸方向へ蛇腹状に圧潰されて（以下、これを「軸圧潰」と称する）、衝撃エネルギの一部が吸収される。このクラッシュボックス４は、例えば、薄鋼板をプレス加工してハット形断面に形成された２つの半割部材の対向面を、スポット溶接等により最中状に接合することで形成されている。
【００１９】
又、このクラッシュボックス４の車幅方向内側の側面に変形容易部８が形成されている。本実施形態では、上下方向へ延在するビードを車体後方へ所定間隔毎に複数条（図においては３条）形成することで変形容易部８としている。
【００２０】
この変形容易部８はフルラップ衝突時にバンパビーム２を介してクラッシュボックス４に衝撃荷重が入力された際に、車幅方向外側と内側とに抗力差を生じさせて、クラッシュボックス４を車幅方向内側へやや傾斜させるためのものである。従って、この変形容易部８を、例えばクラッシュボックス４の車幅方向内側に切欠き部を形成し、この切欠き部を変形容易部８としても良い。或いはクラッシュボックス４を車幅方向左右に分割された最中構造とし、車幅方向内側の部材を外側の部材よりも薄板材で形成することで、車幅方向内側を変形容易部８としても良い。或いは、クラッシュボックス４の車幅方向外側に補強板を接合することで、相対的に車幅方向内側を変形容易部８とするようにしても良い。或いは、車幅方向外側に厚板を接合し、内側に薄板を接合することで、相対的に車幅方向内側を変形容易部８とするようにしても良い。又、同じ板厚の補強板であっても、内側の補強板の面積を外側の補強板の面積よりも小さくすることで、相対的に車幅方向内側を変形容易部８とするようにしても良い。
【００２１】
又、フロントサイドフレーム３の車幅方向外側にガセット９が配設されている。このガセット９はスモールオーバラップ衝突時の衝撃荷重をフロントサイドフレーム３の前部へ直接伝達させるものであり、矩形の筒状断面に形成された本体部（以下、「ガセット本体」と称する）９ａと、このガセット本体９ａの後端に連続して形成された固定部９ｂとを有している。この固定部９ｂのガセット本体９ａ側上下面に水平方向へ延在する二条のビード９ｃが形成されており、固定部９ｂはビード９ｃを起点に屈曲されるように設定されている。この固定部９ｂは、エンジン６（図２参照）の前後方向中央よりも車両前方側に位置するフロントサイドフレーム３の車幅方向外側の側面部にボルト等を介して固定されている。
【００２２】
又、ガセット本体９ａは、その基部が固定部９ｂの前端から車幅方向外側に前開きに傾斜して前方へ延在され、その前端面９ｄがバンパビーム２のオフセット部２ｂの背面２ｃに臨まされている。このガセット本体９ａの前端面９ｄとオフセット部２ｂの背面２ｃとの間に所定の空隙部１０が設けられている。更に、ガセット本体９ａの前端面９ｄの車幅方向内側、上方、及び下方の縁部にガイド部材１２が対峙されており、このガイド部材１２がオフセット部２ｂの背面２ｃに固設されている。この各ガイド部材１２はスモールオーバラップ衝突の際の初期挙動において、ガセット本体９ａの前端面９ｄをオフセット部２ｂの背面２ｃ側へガイドするものである。
【００２３】
次に、このような構成による車体前部がスモールオーバラップ衝突、及びフルラップ衝突した際の挙動について説明する。
【００２４】
＜スモールオーバラップ衝突＞
先ず、スモールオーバラップ衝突時の車体前部の挙動について、図１、図２を参照して説明する。尚、同図の符号Ｂｏはオフセットバリアであり、相手車両や立ち木、電柱等を模している。
【００２５】
図１に示すように、車両のフロントサイドフレーム３よりも車幅方向外側（側端部）のバンパビーム２、すなわちオフセット部２ｂがオフセットバリアＢｏに近接し、このオフセット部２ｂがオフセットバリアＢｏに対して荷重Ｆで衝突（スモールオーバラップ衝突）すると、その反力である衝撃荷重がオフセット部２ｂを介してクラッシュボックス４に伝達され、このクラッシュボックス４からフロントサイドフレーム３に軸方向の圧縮荷重が伝達される。
【００２６】
一方、バンパビーム２のオフセット部２ｂは衝撃荷重を受けて後方へ変形し、その背面２ｃに固設されているガイド部材１２にガイドされて、背面２ｃがガセット本体９ａの前端面９ｄに衝突し、ガセット９に軸方向の圧縮荷重を伝達する。そして、このガセット本体９ａに伝達された衝撃荷重が、固定部９ｂを経由してフロントサイドフレーム３の車幅方向外側の側面に対し、斜め前方から車幅方向内側へ押し込む方向に印加される。すると、ガセット９の固定部９ｂがビード９ｃを起点に屈曲され、ガセット本体９ａの後端部がフロントサイドフレーム３を車幅方向内側へ屈曲変形させる。そして、この屈曲変形量が所定以上になると、フロントサイドフレーム３の屈曲部位がエンジン６に衝突する。
【００２７】
その後、車体に対するオフセットバリアＢｏの相対後退量（オフセットバリアＢｏに対する車体の相対前進量）がさらに大きくなると、フロントサイドフレーム３は、エンジン６を車幅方向における反対側（オフセットバリアＢｏと衝突していない側）に押圧して変位させる。このとき、フロントサイドフレーム３の前端部における未圧潰領域は、軸方向衝撃力にてエンジン６を反対側へ更に押出す押圧部材として機能する。
【００２８】
このように、車両のなかでも重量物であるエンジン６が車幅方向反対側へ押圧されることで、車両はオフセットバリアＢｏを回避する方向へ向きを変え、それによって、キャビンをスモールオーバラップ衝突から保護することができる。又、フロントサイドフレーム３は、上述した屈曲変形によって、それ自体がエネルギを吸収するエネルギ吸収体として機能させることができる。
【００２９】
＜フルラップ衝突＞
次に、フルラップ衝突時の車体前部の挙動について、図３、図４を参照して説明する。尚、同図の符号Ｂｆはフルラップバリアであり、対向車、壁等を模している。
【００３０】
車両がフルラップバリアＢｆに近接し、このフルラップバリアＢｆに対してバンパビーム２の中央部２ａが荷重Ｆでフルラップ衝突（全突）すると、中央部２ａの前面に、その反力である衝撃荷重が印加される。中央部２ａは車幅方向中央が前方へやや突出されているため、その中央が最初に衝撃荷重を受けて後方へ凹湾曲変形し、この湾曲変形により中央部２ａの両端が車幅方向中央に引かれる。その結果、中央部２ａの両端に連続するオフセット部２ｂの中央部２ａ側の背面２ｃに前端面を固設するクラッシュボックス４の前端部が車幅方向内側に呼び込まれる。
【００３１】
そして、バンパビーム２が受けた衝撃荷重がクラッシュボックス４に伝達されると、図３に矢印Ａで示すように、このクラッシュボックス４は変形容易部８を起点として、車幅方向内側へやや屈曲された状態で軸圧潰される。これにより、バンパビーム２の中央部２ａは更に後方へ凹湾曲変形し、この変形により、その両端に連設するオフセット部２ｂの端部が、図１の状態から図３の矢印Ｂで示すように車体前方へ開くように屈曲変形される。
【００３２】
すると、このオフセット部２ｂの背面２ｃとガセット本体９ａの前端面９ｄとの間の空隙部１０が車幅方向内側から外側へ拡開する楔状となり、オフセット部２ｂの背面２ｃに対して、ガセット本体９ａの前端面９ｄの車幅方向内側の縁部９ｅが最も近接された状態で対峙される。その後、バンパビーム２に印加された衝撃荷重にてクラッシュボックス４が軸圧潰されて、バンパビーム２が車体後方へ相対移動し、オフセット部２ｂの背面２ｃに対し、ガセット本体９ａの前端面９ｄの内側縁部９ｅが近接された状態で対峙されているため、この内側縁部９ｅが最初に押圧される。
【００３３】
すると、このガセット本体９ａの前端面９ｄに対して、車幅方向内側の斜め前方から衝撃荷重が印加されるため、その押圧力によりガセット本体９ａは、図３の矢印Ｃで示すように、固定部９ｂを起点として車幅方向外側へ傾斜され、その後、このガセット本体９ａの前端面９ｄは、外方向へ傾斜されて、フルラップ衝突の際の衝撃荷重が伝達される経路から外れる（図４参照）。そのため、フルラップ衝突において、このガセット９が衝撃吸収を阻害する因子とて機能することがなく、良好な衝撃吸収性能を保証することができる。
【００３４】
［第２実施形態］
図５、図６に本発明の第２実施形態を示す。上述した第１実施形態では、バンパユニット１に設けられているクラッシュボックス４に変形容易部８を形成することで、フルラップ衝突の際に、この変形容易部８を起点としてクラッシュボックス４をやや内側へ傾倒させながら軸圧潰させるようにしている。これに対し、本実施形態によるクラッシュボックス１１は、当初から車体前後方向の軸に対して内側へ角度θだけ傾斜させた状態でバンパビーム２に連設させることで、フルラップ衝突の際に、車幅方向内側へ傾斜させた状態で軸圧潰させるようにしたものである。従って、本実施形態では、クラッシュボックス１１全体が変形容易部として機能する。尚、第１実施形態と同一の構成部分には、同一の符号を付して説明を省略する。
【００３５】
すなわち、図５に示すように、クラッシュボックス１１は、車幅方向中央を前後方向に通る線に平行な直線ＬＳに対して、フロントサイドフレーム３の先端から車幅方向内側へ角度θだけ傾斜した状態で車体前方へ延在されてオフセット部２ｂの背面２ｃに連設されている。尚、ガセット９は第１実施形態と同じ構造であるため説明を省略する。
【００３６】
＜スモールオーバラップ衝突＞  
スモールオーバラップ衝突時は、上述した第１実施形態と同様、図５に矢印で示すように、バンパビーム２の端部に連続するオフセット部２ｂの背面２ｃがガセット本体９ａの前端面９ｄを押圧して、このガセット本体９ａに軸方向の圧縮荷重を伝達する。すると、このガセット本体９ａの後端がフロントサイドフレーム３の車幅方向外側の側面を押圧し、図２と同様、フロントサイドフレーム３を車幅方向内側へ屈曲変形させて、衝撃荷重を吸収する。
【００３７】
＜フルラップ衝突＞
一方、フルラップ衝突時は、上述した第１実施形態と同様、フルラップバリアＢｆからの反力を受けて、バンパビーム２の中央部２ａが凹湾曲変形し、この湾曲変形により中央部２ａの両端が車幅方向中央に引かれる。この中央部２ａの両端に連続するオフセット部２ｂに前端面を固設するクラッシュボックス１１は、フロントサイドフレーム３の先端から幅方向内側へ角度θだけ傾斜して前方へ延在されているため、図６に矢印Ａで示すように、前端部が中央部２ａの挙動に追従して車幅方向内側へ呼び込まれる。そして、バンパビーム２が受けた衝撃荷重がクラッシュボックス１１に伝達されると、クラッシュボックス１１は、車幅方向内側へやや傾斜された状態のまま軸圧潰される。
【００３８】
これにより、バンパビーム２の中央部２ａは更に後方へ凹湾曲変形され、この変形により、その両端に連設するオフセット部２ｂの端部が、図５の状態から図６の矢印Ｂで示すように車体前方へ開くように屈曲変形される。その結果、オフセット部２ｂの背面２ｃとガセット本体９ａの前端面９ｄとの間の空隙部１０が車幅方向内側から外側へ拡開する楔状となり、オフセット部２ｂの背面２ｃに対して、ガセット本体９ａの前端面９ｄの車幅方向内側の縁部９ｅが最も近接された状態で対峙される。
【００３９】
そのため、上述した第１実施形態と同様、クラッシュボックス１１が軸圧潰されて、バンパビーム２が車体後方へ相対移動すると、オフセット部２ｂの背面２ｃがガセット本体９ａの前端面９ｄの内側縁部９ｅを軸圧潰方向へ押圧する。これにより、ガセット本体９ａの前端面９ｄに対しては、車幅方向内側の斜め前方から衝撃荷重が印加される状態となり、ガセット本体９ａは、図６の矢印Ｃで示すように、固定部９ｂを起点として車幅方向外側へ傾斜されて、フルラップ衝突の際の衝撃荷重が伝達される経路から外れる。
【００４０】
このように、本実施形態では、クラッシュボックス１１を、車幅方向内側へ角度θだけ傾斜させてオフセット部２ｂの背面２ｃに固設するようにしたので、上述した第１実施形態のように、クラッシュボックス４に変形容易部８を形成する必要がなく、構造の簡素化を実現することができる。
【００４１】
［第３実施形態］
図７に本発明の第３実施形態を示す。上述した第１，２実施形態ではバンパユニット１に設けられているクラッシュボックス４に変形容易部８を形成し、或いはクラッシュボックス１１を車幅方向内側へ所定角度θだけ傾斜させることで、フルラップ衝突時にオフセット部２ｂがガセット９に設けられているガセット本体９ａの前端面９ｄを車幅方向外側へ屈曲変形させる構造としている。これに対し、本実施形態では、フロントサイドフレーム３に変形容易部３ａを形成し、フルラップ衝突時、フロントサイドフレーム３を車幅方向内側へ屈曲変形させることで、ガセット本体９ａを車幅方向外側へ屈曲変形し易くするようにしたものであり、クラッシュボックス４’は従来と同様の構成を有している。尚、第１実施形態と同一の構成部分には、同一の符号を付して説明を省略する。
【００４２】
すなわち、クラッシュボックス４’は、フロントサイドフレーム３の前端面から車幅方向中央を前後方向に通る線と平行に前方へ延在されて、その前端面がバンパビーム２のオフセット部２ｂの背面２ｃに固設されている。又、変形容易部３ａはフロントサイドフレーム３の車幅方向外側面であって、ガセット９の固定部９ｂが固定されている部位の直後方に形成されている。本実施形態では、上下方向へ延在するビードを車体後方へ所定間隔毎に複数条（図においては条）形成することで変形容易部３ａとしている。
【００４３】
この変形容易部３ａはフルラップ衝突時にガセット本体９ａからの軸方向荷重を受けて、フロントサイドフレーム３を車幅方向内側へ屈曲させる際の起点となる部位であり、複数条のビードに変えて、切欠き部を形成して変形容易部３ａとしても良い。或いは、フロントサイドフレーム３の車幅方向内側の変形容易部３ａに対峙する部位に補強板を接合することで、相対的に車幅方向外側を変形容易部３ａとするようにしても良い。
【００４４】
このような構成では、スモールオーバラップ衝突時は、上述した第１実施形態と同様、バンパビーム２の端部に設けたオフセット部２ｂの背面２ｃがガセット本体９ａの前端面９ｄを軸方向に押圧し、このガセット本体９ａを介してフロントサイドフレーム３の車幅方向外側の側面を押圧し、フロントサイドフレーム３を、変形容易部３ａを起点に車幅方向内側へ屈曲変形させて衝撃を吸収する。
【００４５】
一方、フルラップ衝突時は、フルラップバリアＢｆからの反力を受けて、バンパビーム２の中央部２ａが押圧され、この中央部２ａが後方へ凹湾曲変形しようとして、両側のクラッシュボックス４’は車幅方向内側へ引かれる。しかし、このクラッシュボックス４’が車体前後方向に沿って延在しているため、車幅方向内側へ屈曲し難く、従って、その衝撃荷重はクラッシュボックス４’を正面から軸圧潰させる方向に伝達される。
【００４６】
その結果、バンパビーム２は、その端部に設けられているオフセット部２ｂが、第１実施形態や第２実施形態のように車体前方へ大きく開くような挙動を示すことなく後退される。従って、フルラップ衝突直後は、オフセット部２ｂの背面２ｃがガセット本体９ａの前端面９ｄをほぼ平行な状態で押圧し、その衝撃荷重を軸方向に伝達してフロントサイドフレーム３の車幅方向外側面を押圧する。
【００４７】
すると、このフロントサイドフレーム３は変形容易部３ａを起点として車幅方向内側へ屈曲され、この屈曲変形によりガセット本体９ａが、図７に矢印Ｃで示すように、車幅方向外側へ移動し、同図に一点鎖線で示すように傾斜され、フルラップ衝突の際の衝撃荷重が伝達される経路から外れる。
【００４８】
このように、本実施形態では、フロントサイドフレーム３に変形容易部３ａを形成したので、クラッシュボックス４’は従来のままの構造で良く、従って、構造の簡素化を図ることができる。
【００４９】
尚、本発明は、上述した各実施形態に限るものではなく、例えば、各実施形態で示したフルラップ衝突の際のバンパユニット１、及びガセット９の挙動は、前述したスモールオーバラップ衝突よりもオーバラップ量の大きいオフセット衝突にもそのまま適用することができる。
【符号の説明】
【００５０】
１…バンパユニット、
２…バンパビーム、
２ａ…中央部、
２ｂ…オフセット部、
２ｃ…背面、
３…フロントサイドフレーム、
３ａ，８…変形容易部、
４，４’１１…クラッシュボックス、
９…ガセット、
９ａ…ガセット本体、
９ｂ…固定部、
９ｃ…ビード、
９ｄ…前端面、
９ｅ…内側縁部、
１０…空隙部、
１２…ガイド部材、
Ｂｆ…フルラップバリア、
Ｂｏ…オフセットバリア
【図１】
2015189407.tif 000003
【図２】
2015189407.tif 000004
【図３】
2015189407.tif 000005
【図４】
2015189407.tif 000006
【図５】
2015189407.tif 000007
【図６】
2015189407.tif 000008
【図７】
2015189407.tif 000009